(57)【要約】  実施形態の電池装置は、例えば、複数の電池セルと、筐体と、を備える。複数の電池セルは、第一の方向に第一の隙間をあけて並べられる。筐体は、第一の方向に沿って延びるとともに第一の方向と交差した第二の方向に沿って延び第一の隙間に臨む貫通孔が設けられた第一の壁部、を有し、複数の電池セルを収容する。第一の壁部の第二の方向における第一の端部よりも第一の壁部の第二の方向における中央位置に近い第一の壁部の内側領域における貫通孔の第一の開口率が、中央位置よりも第一の端部に近い第一の壁部の外側領域における貫通孔の第二の開口率よりも大きい。
2017042930.tif 000002
【特許請求の範囲】
【請求項１】
第一の方向に第一の隙間をあけて並べられた複数の電池セルと、
前記第一の方向に沿って延びるとともに前記第一の方向と交差した第二の方向に沿って延び前記第一の隙間に臨む貫通孔が設けられた第一の壁部、を有し、前記複数の電池セルを収容した筐体と、
を備え、
前記第一の壁部の前記第二の方向における第一の端部よりも前記第一の壁部の前記第二の方向における中央位置に近い前記第一の壁部の内側領域における前記貫通孔の第一の開口率が、前記中央位置よりも前記第一の端部に近い前記第一の壁部の外側領域における前記貫通孔の第二の開口率よりも大きい、電池装置。
【請求項２】
前記第一の方向に並べられた前記複数の電池セルを含む第一の列と、
前記第一の列の前記第二の方向に位置され前記第一の方向に並べられた前記複数の電池セルを含む第二の列と、
を備えた、請求項１に記載の電池装置。
【請求項３】
前記筐体は、前記複数の電池セルを含む列の前記第一の方向に第二の隙間をあけて位置された第二の壁部を有し、
前記第二の隙間は、前記第一の隙間よりも狭い、請求項１または２に記載の電池装置。
【発明の詳細な説明】
【技術分野】
【０００１】
本発明の実施形態は、電池装置に関する。
【背景技術】
【０００２】
従来、第一の方向に隙間をあけて並べられた複数の電池セルと、当該複数の電池セルを収容する筐体と、を備え、筐体の壁部に、隙間に臨む貫通孔が設けられた電池装置が、知られている。
【先行技術文献】
【特許文献】
【０００３】
【特許文献１】特開２０１４−０２２１６６号公報
【発明の概要】
【発明が解決しようとする課題】
【０００４】
この種の電池装置では、例えば、場所による温度のばらつきがより小さい電池装置が得られれば、好ましい。
【課題を解決するための手段】
【０００５】
実施形態の電池装置は、例えば、複数の電池セルと、筐体と、を備える。複数の電池セルは、第一の方向に第一の隙間をあけて並べられる。筐体は、第一の方向に沿って延びるとともに第一の方向と交差した第二の方向に沿って延び第一の隙間に臨む貫通孔が設けられた第一の壁部、を有し、複数の電池セルを収容する。第一の壁部の第二の方向における第一の端部よりも第一の壁部の第二の方向における中央位置に近い第一の壁部の内側領域における貫通孔の第一の開口率が、中央位置よりも第一の端部に近い第一の壁部の外側領域における貫通孔の第二の開口率よりも大きい。
【図面の簡単な説明】
【０００６】
【図１】図１は、第１実施形態の電池装置の例示的な斜視図である。
【図２】図２は、図１のII−II断面図である。
【図３】図３は、図２のIII−III断面図である。
【図４】図４は、図２のIV−IV断面図である。
【図５】図５は、第２実施形態の電池装置の例示的な断面図である。
【図６】図６は、図５のVI−VI断面図である。
【図７】図７は、第３実施形態の電池装置の例示的な断面図である。
【図８】図８は、図７のVIII−VIII断面図である。
【図９】図９は、第４実施形態の電池装置の例示的な断面図である。
【図１０】図１０は、図９のX−X断面図である。
【図１１】図１１は、第５実施形態の電池装置の例示的な断面図である。
【発明を実施するための形態】
【０００７】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【０００８】
また、以下に開示される複数の実施形態には、同様の構成要素が含まれる。よって、以下では、それら同様の構成要素には共通の符号が付与されるとともに、重複する説明が省略される。
【０００９】
＜第１実施形態＞
図１に示されるように、電池装置１（蓄電池装置、組電池装置）は、例えば、複数の電池セル２と、筐体３と、第一のダクト４と、第二のダクト５，６と、を備える。電池装置１は、種々の装置や、機械、設備等に設置され、それら種々の装置や、機械、設備の電源として使用される。例えば、電池装置１は、自動車の電源等、移動型の電源としても使用される他、例えば、ＰＯＳ（Point  Of  Sales）システム用の電源等、定置型の電源としても使用されうる。なお、電池装置１に含まれる電池セル２の数や配置等は、本実施形態で開示されるものには限定されない。また、電池装置１には、複数の電池セル２を電気的に接続するための導電部材（バスバー）や、電池セル２の電圧や温度を監視するための監視基板、電池制御のための制御基板等が含まれうる。
【００１０】
図１に示されるように、筐体３は、水平方向（横方向、左右方向、Ｘ方向またはＹ方向）に長い直方体状に構成されている。筐体３は、複数の壁部３ａ〜３ｆを有する。筐体３は、複数の壁部３ａ〜３ｆのうち少なくともいずれか一つの壁部、例えば、壁部３ｅが平面に沿った姿勢で、設置されうる。壁部３ｅは、第一の壁部の一例であり、筐体３は、第一の筐体の一例である。なお、以下では、便宜上、壁部３ｅが平面に沿った姿勢を基準として、方向を規定する。Ｘ方向は、筐体３の短手方向であり、電池セル２の厚さ方向である。また、Ｙ方向は、筐体３の長手方向であり、電池セル２の幅方向である。また、Ｚ方向は、筐体３の高さ方向であり、電池セル２の高さ方向である。Ｘ方向、Ｙ方向、およびＺ方向は、互いに直交している。本実施形態では、Ｘ方向は、第一の方向の一例であり、Ｙ方向は、第二の方向の一例であり、Ｚ方向は、第三の方向の一例である。
【００１１】
電池セル２は、例えば、リチウムイオン二次電池等で構成されうる。なお、電池セル２は、ニッケル水素電池や、ニッケルカドミウム電池、鉛蓄電池等、他の二次電池であってもよい。リチウムイオン二次電池は、非水電解質二次電池の一種であり、電解質中のリチウムイオンが電気伝導を担う。正極材料としては、例えば、リチウムマンガン複合酸化物や、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、ニオブ複合酸化物等の酸化物材料等が用いられる。また、電解質（例えば、電解液）としては、フッ素系錯塩（例えばＬｉＢＦ４、ＬｉＰＦ６）等のリチウム塩が配合された、例えば、炭酸エチレンや、炭酸プロピレン、炭酸ジエチル、炭酸エチルメチル、炭酸ジメチル等の有機溶媒等が単独であるいは複数混合されて用いられる。
【００１２】
また、電池セル２は、筐体２０を有する。筐体２０は、例えば、Ｘ方向に薄い扁平な直方体状に構成されている。図１に示される筐体２０の上面２０ａ（天面）には、不図示の電極部等が設けられうる。複数の電池セル２は、それぞれの上面２０ａが同じ方向（上方向）を向いた姿勢で、Ｘ方向に沿って並べられている。また、本実施形態では、複数（例えば、四つ）の電池セル２がＸ方向に並んだ列Ｌ１と、列Ｌ１のＹ方向の一方側、すなわち図１，２の右側で複数（例えば、四つ）の電池セル２がＸ方向に並んだ列Ｌ２と、列Ｌ２のＹ方向の一方側で複数（例えば、四つ）の電池セル２がＸ方向に並んだ列Ｌ３と、が設けられている。列Ｌ１は、第一の列の一例であり、列Ｌ２は、第二の列の一例であり、列Ｌ３は、第三の列の一例である。また、筐体２０は、第二の筐体の一例である。
【００１３】
図１〜４に示されるように、筐体３の壁部３ａおよび壁部３ｃは、いずれも、Ｙ方向と交差する方向または直交する方向、すなわちＸ方向およびＺ方向に沿っており、Ｙ方向に間隔をあけて互いに平行に設けられている。また、壁部３ｂおよび壁部３ｄは、いずれも、Ｘ方向と交差する方向または直交する方向、すなわちＹ方向およびＺ方向に沿っており、Ｘ方向に間隔をあけて互いに平行に設けられている。壁部３ａ〜３ｄは、側壁部等と称されうる。また、壁部３ｅおよび壁部３ｆは、いずれも、Ｚ方向と交差する方向または直交する方向、すなわちＸ方向およびＹ方向に沿っており、Ｚ方向に間隔をあけて互いに平行に設けられている。壁部３ｅは、下壁部や、底壁部等と称されうる。また、壁部３ｆは、上壁部や、天壁部等と称されうる。
【００１４】
また、図３，４に示されるように、筐体３は、例えば、壁部３ｅ，３ｆに沿った壁部３ｇを有する。壁部３ｇは、壁部３ｅと壁部３ｆとの間に位置され、壁部３ａと壁部３ｃとの間、および壁部３ｂと壁部３ｄとの間に架け渡されている。壁部３ｇには、電池セル２の電極部が貫通する開口部等が設けられうる。また、壁部３ｇと壁部３ｆとの間の空間部には、電池セル２の電極部を接続する導電部材や、基板等が収容されうる。壁部３ｇは、隔壁部や、仕切壁等とも称されうる。
【００１５】
図２に示されるように、複数の電池セル２は、互いにＸ方向に隙間Ｓ１をあけた状態で、筐体３に支持されている。隙間Ｓ１は、電池セル２の側面に沿って、すなわちＹ方向およびＺ方向に沿って、広がっている。また、列Ｌ１〜Ｌ３の、Ｘ方向の一方側の端部、すなわち図２で最も上側の電池セル２と壁部３ｄとの間、およびＸ方向の他方側の端部、すなわち図２で最も下側の電池セル２と壁部３ｂとの間には、隙間Ｓ２が設けられている。隙間Ｓ２は、電池セル２の側面および壁部３ａ，３ｂに沿って、すなわちＹ方向およびＺ方向に沿って、広がっている。図２，４に示されるように、本実施形態では、隙間Ｓ１のＸ方向に沿った幅と、隙間Ｓ２のＸ方向に沿った幅とは、略同じである。隙間Ｓ１は、第一の隙間の一例であり、隙間Ｓ２は、第二の隙間の一例である。なお、本実施形態では、壁部３ｅや壁部３ｇ等の隙間Ｓ１，Ｓ２と対向する部分には、Ｚ方向の内側（中央部側）に向かって僅かに突出する突出部等が設けられている。この突出部によって、隙間Ｓ１，Ｓ２を保持した状態で、複数の電池セル２を支持することができる。
【００１６】
また、図２〜４に示されるように、筐体３の壁部３ｅには、複数の貫通孔３ｓが設けられている。貫通孔３ｓは、隙間Ｓ１，Ｓ２に臨んでおり、貫通孔３ｓと隙間Ｓ１，Ｓ２とは、Ｚ方向に並んでいる。複数の貫通孔３ｓは、Ｘ方向およびＹ方向に互いに間隔をあけて並んでいる。なお、図４に示されるように、本実施形態では、壁部３ｅの電池セル２の底面と対向する部分には、貫通孔３ｓは設けられていない。すなわち、電池セル２の底面は、壁部３ｅで覆われている。
【００１７】
また、図２に示されるように、筐体３の壁部３ａ，３ｃには、複数の貫通孔３ｔが設けられている。貫通孔３ｔは、隙間Ｓ１，Ｓ２に臨んでおり、貫通孔３ｔと隙間Ｓ１，Ｓ２とは、Ｙ方向に並んでいる。複数の貫通孔３ｔは、Ｘ方向に互いに間隔をあけて並んでいる。貫通孔３ｔは、例えば、Ｚ方向に沿って細長く延びるスリット状に構成されうる。なお、本実施形態では、壁部３ａ，３ｃの電池セル２の側面と対向する部分には、貫通孔３ｔは設けられていない。すなわち、電池セル２の側面は、壁部３ａ，３ｃで覆われている。
【００１８】
よって、隙間Ｓ１，Ｓ２には、図３に示されるように、貫通孔３ｓが設けられたＺ方向の他方側（下側）の壁部３ｅと、開口部が設けられない閉じられたＺ方向の一方側（上側）の壁部３ｇとが臨んでおり、隙間Ｓ１，Ｓ２のＹ方向の両側は開放されている。したがって、空気流は、第一のダクト４内から貫通孔３ｓを介して隙間Ｓ１，Ｓ２内に流れ、隙間Ｓ１，Ｓ２内でＺ方向からＹ方向の両側に向けて曲がり、隙間Ｓ１，Ｓ２内から貫通孔３ｔ（図２参照）を介して第二のダクト５，６内に流れる。
【００１９】
また、筐体３は、複数の部品（分割体）が組み合わせられて構成されている。具体的には、筐体３は、例えば、第一筐体部材３１（第一ケース、下ケース）と、第二筐体部材３２（第二ケース、上ケース）と、第三筐体部材３３（第三ケース、蓋）と、を有する。図１，４に示されるように、第一筐体部材３１は、少なくとも、壁部３ｅと、壁部３ａ〜３ｄの一部（下側部分）と、を有する。また、第二筐体部材３２は、少なくとも、壁部３ｇと、壁部３ａ〜３ｄの一部（上側部分）と、を有する。また、第三筐体部材３３は、少なくとも、壁部３ｆを有する。第二筐体部材３２は、第一筐体部材３１の収容部を塞ぎ、第一筐体部材３１と一体化される。また、第三筐体部材３３は、第二筐体部材３２の収容部を塞ぎ、第二筐体部材３２と一体化される。第一筐体部材３１、第二筐体部材３２、および第三筐体部材３３は、例えば、結合具や、接着剤等によって互いに結合されうる。
【００２０】
図１に示されるように、第一のダクト４は、例えば、筐体３の壁部３ｅに沿って延びており、Ｚ方向に薄くＸ方向およびＹ方向に広がっている。第一のダクト４のＸ方向の他方側の端部には、開口部４ａが設けられている。また、図４に示されるように、第一のダクト４の壁部４ｂ（上壁部）には、開口部４ｃが設けられている。開口部４ｃは、隙間Ｓ１，Ｓ２および貫通孔３ｓとＺ方向に並んでいる。すなわち、開口部４ｃは、壁部４ｂの、隙間Ｓ１，Ｓ２および貫通孔３ｓと対向する部分に設けられている。第一のダクト４の開口部４ａ，４ｃ以外の部分は閉じられている。よって、開口部４ａを介して第一のダクト４内に導入された空気（冷却風）は、第一のダクト４を経由して、開口部４ｃおよび貫通孔３ｓを介して筐体３の隙間Ｓ１，Ｓ２内に流れ出ることができる。第一のダクト４は、吸気ダクトの一例である。
【００２１】
また、図１に示されるように、第二のダクト５，６は、例えば、筐体３の壁部３ａ，３ｃに沿っており、Ｙ方向に薄くＸ方向およびＺ方向に広がっている。第二のダクト５，６のＸ方向の一方側の端部には、開口部５ａ，６ａが設けられている。また、図２に示されるように、第二のダクト５，６の壁部５ｂ，６ｂ（側壁部）には、開口部５ｃ，６ｃが設けられている。開口部５ｃ，６ｃは、隙間Ｓ１，Ｓ２および貫通孔３ｔとＹ方向に並んでいる。すなわち、開口部５ｃ，６ｃは、壁部５ｂの、隙間Ｓ１，Ｓ２および貫通孔３ｔと対向する部分に設けられている。第二のダクト５，６の開口部５ａ，６ａ，５ｃ，６ｃ以外の部分は閉じられている。よって、開口部５ｃ，６ｃを介して筐体３内の隙間Ｓ１，Ｓ２から第二のダクト５，６内に導入された空気は、第二のダクト５，６を経由して、開口部５ａ，６ａを介して第二のダクト５，６外に流れ出ることができる。第二のダクト５，６は、排気ダクトの一例である。
【００２２】
ここで、図３に示されるように、本実施形態では、貫通孔３ｓのＹ方向に沿った幅Ｗは、図３に示される視線で、電池セル２とＺ方向に対向した範囲において、略同じに設定されている。また、貫通孔３ｓのＹ方向に沿った幅Ｗと、二つの貫通孔３ｓの間の壁部３ｅのＹ方向に沿った幅Ｗとが、略同じに設定されている。そして、電池セル２とＺ方向に対向した範囲において、貫通孔３ｓは奇数（例えば３個）設けられ、当該範囲のＹ方向の両端部には、貫通孔３ｓが設けられている。よって、本実施形態では、Ｙ方向に隣接した二つの電池セル２の境界部分とＺ方向に対向する位置で、二つの貫通孔３ｓが繋がっている。このような構成により、本実施形態では、壁部３ｅのＹ方向の中央位置Ｃ（中央線、図２参照）側の内側領域Ｔ１における貫通孔３ｓの第一の開口率が、壁部３ｅのＹ方向の端部Ｅ側の外側領域Ｔ２における貫通孔３ｓの第二の開口率よりも大きくなる。ここで、開口率とは、壁部３ｅの面積に対する貫通孔３ｓ（開口部）の面積の比率である。すなわち、第一の開口率は、内側領域Ｔ１の長さに対する当該内側領域Ｔ１に設けられた全ての貫通孔３ｓのＹ方向に沿った幅Ｗの合計値の比率に略等しく、第二の開口率は、外側領域Ｔ２の長さに対する当該外側領域Ｔ２に設けられた全ての貫通孔３ｓのＹ方向に沿った幅Ｗの合計値の比率に略等しい。また、内側領域Ｔ１は、壁部３ｅのＹ方向の端部ＥよりもＹ方向の中央位置Ｃに近い領域であって、壁部３ｅをＹ方向に等間隔で四等分した領域のうちの内側の二つの領域である。また、外側領域Ｔ２は、壁部３ｅのＹ方向の中央位置ＣよりもＹ方向の端部Ｅに近い領域であって、壁部３ｅをＹ方向に等間隔で四等分した領域のうちの外側の二つの領域である。端部Ｅは、第一の端部の一例である。
【００２３】
上述した構成により、図３に示されるように、隙間Ｓ１，Ｓ２のうちＹ方向の中央位置Ｃに近い領域での空気流量が、隙間Ｓ１，Ｓ２のうちＹ方向の端部Ｅに近い領域での空気流量よりも多くなる。したがって、本実施形態によれば、外側領域Ｔ２よりも電池セル２の温度が高くなりやすい内側領域Ｔ１において、空気流による電池セル２の冷却性、すなわち電池セル２からの放熱性が、高まりやすい。
【００２４】
なお、本実施形態では、複数の電池セル２が、４行３列で配置された場合が例示されたが、これには限られず、例えば、１〜３行でも５行以上でもよいし、１〜２列でも４列以上でもよい。
【００２５】
以上のように、本実施形態では、例えば、壁部３ｅのＹ方向における端部Ｅ（第一の端部）よりも壁部３ｅのＹ方向における中央位置Ｃに近い壁部３ｅの内側領域Ｔ１における貫通孔３ｓの第一の開口率が、中央位置Ｃよりも端部Ｅに近い壁部３ｅの外側領域Ｔ２における貫通孔３ｓの第二の開口率よりも大きい。よって、本実施形態によれば、例えば、隙間Ｓ１，Ｓ２のうちＹ方向の中央位置Ｃに近い領域での空気流量が、隙間Ｓ１，Ｓ２のうちＹ方向の端部Ｅに近い領域での空気流量よりも多くなる。したがって、本実施形態によれば、外側領域Ｔ２よりも電池セル２の温度が高くなりやすい内側領域Ｔ１において、空気流による電池セル２の冷却性、すなわち電池セル２からの放熱性が、高まりやすい。よって、例えば、場所による電池セル２の温度のばらつきが抑制されやすく、ひいては、電池装置１の寿命が長くなりうる。
【００２６】
また、本実施形態では、例えば、Ｘ方向（第一の方向）に並べられた複数の電池セル２を含む列Ｌ１（第一の列）と、列Ｌ１のＹ方向（第二の方向）に位置されＸ方向（第一の方向）に並べられた複数の電池セル２を含む列Ｌ２（第二の列）と、を備える。よって、本実施形態によれば、例えば、電池セル２の列Ｌ１，Ｌ２が、Ｙ方向に複数設けられた構成によって、内側領域Ｔ１の放熱性が高まりやすい電池装置１が実現されうる。
【００２７】
＜第２実施形態＞
図５，６に示される実施形態の電池装置１Ａは、上記第１実施形態の電池装置１と同様の構成を備えている。よって、本実施形態によっても、上記第１実施形態と同様の構成に基づく同様の結果（効果）が得られる。
【００２８】
ただし、本実施形態では、例えば、図５，６に示されるように、壁部３ｅの内側領域Ｔ１には、幅Ｗに対して、二倍の幅Ｗ２を有した貫通孔３ｓと、半分の幅Ｗ１を有した貫通孔３ｓと、が設けられている。幅Ｗ２の貫通孔３ｓは、列Ｌ２の電池セル２において、中央位置Ｃ側の隙間Ｓ１，Ｓ２に臨むように設けられ、幅Ｗ１の貫通孔３ｓは、列Ｌ２の電池セル２において、端部Ｅ側の隙間Ｓ１，Ｓ２に臨むように設けられている。このような構成により、本実施形態によっても、壁部３ｅのＹ方向の中央位置Ｃ（中央線）側の内側領域Ｔ１における貫通孔３ｓの第一の開口率が、壁部３ｅのＹ方向の端部Ｅ側の外側領域Ｔ２における貫通孔３ｓの第二の開口率よりも大きくなる。よって、図６に示されるように、隙間Ｓ１，Ｓ２のうちＹ方向の中央位置Ｃに近い領域での空気流量が、隙間Ｓ１，Ｓ２のうちＹ方向の端部Ｅに近い領域での空気流量よりも多くなる。したがって、本実施形態によっても、外側領域Ｔ２よりも電池セル２の温度が高くなりやすい内側領域Ｔ１において、空気流による電池セル２の冷却性、すなわち電池セル２からの放熱性が、高まりやすい。
【００２９】
＜第３実施形態＞
図７，８に示される実施形態の電池装置１Ｂは、上記第１実施形態の電池装置１と同様の構成を備えている。よって、本実施形態によっても、上記第１実施形態と同様の構成に基づく同様の結果（効果）が得られる。
【００３０】
ただし、本実施形態では、例えば、図７，８に示されるように、壁部３ｅの内側領域Ｔ１には、当該内側領域Ｔ１の長さと略同じ幅の貫通孔３ｓが設けられている。このような構成により、本実施形態によっても、壁部３ｅのＹ方向の中央位置Ｃ（中央線）側の内側領域Ｔ１における貫通孔３ｓの第一の開口率が、壁部３ｅのＹ方向の端部Ｅ側の外側領域Ｔ２における貫通孔３ｓの第二の開口率よりも大きくなる。よって、本実施形態によれば、図８に示されるように、隙間Ｓ１，Ｓ２のうちＹ方向の中央位置Ｃに近い領域での空気流量が、隙間Ｓ１，Ｓ２のうちＹ方向の端部Ｅに近い領域での空気流量よりもより多くなりやすい。よって、例えば、外側領域Ｔ２よりも電池セル２の温度が高くなりやすい内側領域Ｔ１において、空気流による電池セル２の冷却性、すなわち電池セル２からの放熱性が、より一層高まりやすい。
【００３１】
＜第４実施形態＞
図９，１０に示される実施形態の電池装置１Ｃは、上記第３実施形態の電池装置１Ｂと同様の構成を備えている。よって、本実施形態によっても、上記第３実施形態と同様の構成に基づく同様の結果（効果）が得られる。
【００３２】
ただし、本実施形態では、例えば、図９，１０に示されるように、壁部３ｅの外側領域Ｔ２には、幅Ｗに対して、三倍の幅Ｗ３を有した壁部３ｅが設けられている。このような構成により、本実施形態によっても、壁部３ｅのＹ方向の中央位置Ｃ（中央線）側の内側領域Ｔ１における貫通孔３ｓの第一の開口率が、壁部３ｅのＹ方向の端部Ｅ側の外側領域Ｔ２における貫通孔３ｓの第二の開口率よりも大きくなる。よって、図１０に示されるように、隙間Ｓ１，Ｓ２のうちＹ方向の中央位置Ｃに近い領域での空気流量が、隙間Ｓ１，Ｓ２のうちＹ方向の端部Ｅに近い領域での空気流量よりもより多くなりやすい。したがって、本実施形態によれば、外側領域Ｔ２よりも電池セル２の温度が高くなりやすい内側領域Ｔ１において、空気流による電池セル２の冷却性、すなわち電池セル２からの放熱性が、より一層高まりやすい。
【００３３】
＜第５実施形態＞
図１１に示される実施形態の電池装置１Ｄは、上記第４実施形態の電池装置１Ｃと同様の構成を備えている。よって、本実施形態によっても、上記第４実施形態と同様の構成に基づく同様の結果（効果）が得られる。
【００３４】
ただし、本実施形態では、例えば、図１１に示されるように、隙間Ｓ２のＸ方向に沿った幅が、隙間Ｓ１のＸ方向に沿った幅よりも狭い。筐体３内に、複数の電池セル２の列Ｌ１〜Ｌ３が設けられている場合、壁部３ｂ，３ｄと電池セル２との間の隙間Ｓ２（通路）に比べて、隣接した二つの電池セル２の間の隙間Ｓ１（通路）に、より多くの熱が放出されやすくなる。本実施形態によれば、上述したように、隙間Ｓ２が隙間Ｓ１よりも狭いため、例えば、隙間Ｓ１の空気流量が、隙間Ｓ２の空気流量よりも多くなる。したがって、本実施形態によれば、列Ｌ１〜Ｌ３のＸ方向の端部側よりも電池セル２の温度が高くなりやすいＸ方向の中央部側において、空気流による電池セル２の冷却性、すなわち電池セル２からの放熱性が、高まりやすい。よって、例えば、場所による電池セル２の温度のばらつきが抑制されやすく、ひいては、電池装置１Ｄの寿命が長くなりうる。
【００３５】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【図１】
2017042930.tif 000003
【図２】
2017042930.tif 000004
【図３】
2017042930.tif 000005
【図４】
2017042930.tif 000006
【図５】
2017042930.tif 000007
【図６】
2017042930.tif 000008
【図７】
2017042930.tif 000009
【図８】
2017042930.tif 000010
【図９】
2017042930.tif 000011
【図１０】
2017042930.tif 000012
【図１１】
2017042930.tif 000013
【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
第一の方向に第一の隙間をあけて並べられた複数の電池セルと、
前記第一の方向に沿って延びるとともに前記第一の方向と交差した第二の方向に沿って延び前記第一の隙間に臨む貫通孔が設けられた第一の壁部と、前記複数の電池セルの前記第一の壁部とは反対側で前記第一の方向および前記第二の方向に沿って延び前記第一の隙間の前記第一の壁部とは反対側を閉じた第二の壁部と、を有し、前記複数の電池セルを収容した筐体と、
を備え、
前記第一の壁部の前記第二の方向における第一の端部よりも前記第一の壁部の前記第二の方向における中央位置に近い前記第一の壁部の内側領域における前記貫通孔の第一の開口率が、前記中央位置よりも前記第一の端部に近い前記第一の壁部の外側領域における前記貫通孔の第二の開口率よりも大きい、電池装置。
【請求項２】
前記第一の方向に並べられた前記複数の電池セルを含む第一の列と、
前記第一の列の前記第二の方向に位置され前記第一の方向に並べられた前記複数の電池セルを含む第二の列と、
を備えた、請求項１に記載の電池装置。
【請求項３】
前記筐体は、前記複数の電池セルを含む列の前記第一の方向に第二の隙間をあけて位置された第三の壁部を有し、
前記第二の隙間は、前記第一の隙間よりも狭い、請求項１または２に記載の電池装置。
【請求項４】
前記第二の壁部の前記第一の隙間とは反対側に基板が設けられた、請求項１〜３のうちいずれか一つに記載の電池装置。
【請求項５】
前記貫通孔と連通する開口部が設けられ、前記第一の壁部を前記複数の電池セルとは反対側から覆った第一のダクト、を備えた、請求項１〜４のうちいずれか一つに記載の電池装置。
【請求項６】
前記筐体は、前記第一の方向に沿って延びるとともに前記第一の方向および前記第二の方向と交差した第三の方向に沿って延び前記第一の隙間に臨む貫通孔が設けられた第四の壁部、を有した、請求項１〜５のうちいずれか一つに記載の電池装置。
【請求項７】
前記貫通孔と連通する開口部が設けられ、前記第四の壁部を前記複数の電池セルとは反対側から覆った第二のダクト、を備えた、請求項６に記載の電池装置。
【手続補正３】
【補正対象書類名】明細書
【補正対象項目名】０００１
【補正方法】変更
【補正の内容】
【０００１】
技術分野
［０００１］
本発明の実施形態は、電池装置に関する。
背景技術
［０００２］
従来、第一の方向に隙間をあけて並べられた複数の電池セルと、当該複数の電池セルを収容する筐体と、を備え、筐体の壁部に、隙間に臨む貫通孔が設けられた電池装置が、知られている。
先行技術文献
特許文献
［０００３］
特許文献１：特開２０１４−０２２１６６号公報
発明の概要
発明が解決しようとする課題
［０００４］
この種の電池装置では、例えば、場所による温度のばらつきがより小さい電池装置が得られれば、好ましい。
課題を解決するための手段
［０００５］
実施形態の電池装置は、例えば、複数の電池セルと、筐体と、を備える。複数の電池セルは、第一の方向に第一の隙間をあけて並べられる。筐体は、第一の方向に沿って延びるとともに第一の方向と交差した第二の方向に沿って延び第一の隙間に臨む貫通孔が設けられた第一の壁部と、複数の電池セルの第一の壁部とは反対側で第一の方向および第二の方向に沿って延び第一の隙間の第一の壁部とは反対側を閉じた第二の壁部と、を有し、複数の電池セルを収容する。第一の壁部の第二の方向における第一の端部よりも第一の壁部の第二の方向における中央位置に近い第一の壁部の内側領域における貫通孔の第一の開口率が、中央位置よりも第一の端部に近い第一の壁部の外側領域における貫通孔の第二の開口率よりも大きい。
図面の簡単な説明
［０００６］
［図１］図１は、第１実施形態の電池装置の例示的な斜視図である。
【国際調査報告】
2017042930.tif 000014
2017042930.tif 000015